(57)【要約】  長手方向及び横断方向に連続的な着用可能物品（２０）が開示される。着用可能物品（２０）は、前側弾性領域（８４）と、後側弾性ベルト領域（８６）と、股部領域（３０）と、腰部開口部と、２つの脚部開口部とを備える。前側弾性ベルト領域（８４）と後側弾性ベルト領域（８６）との間に長手方向に延在する股部領域（３０）。本明細書の測定値に従って、前側弾性ベルト領域（８４）はＡ１の面積を有し、股部領域（３０）はＡ２の面積を有し、後側弾性ベルト領域（８６）はＡ３の面積を有し、Ａ１、Ａ２、及びＡ３の合計は約１５００ｃｍ２未満であり、Ａ１、Ａ２、及びＡ３の関係は、Ａ２＞Ａ３又はＡ２＞Ａ１である。着用可能物品（２０）は、サイズ４の乳児用おむつである。
2020527428.tif 000002
【特許請求の範囲】
【請求項１】
長手方向及び横断方向に連続的な着用可能物品であって、前側弾性ベルト領域、後側弾性ベルト領域、股部領域、腰部開口部、及び２つの脚部開口部を備え、前記股部領域が、前記前側弾性ベルト領域と前記後側弾性ベルト領域との間に長手方向に延在し、
本明細書の測定によれば、前記前側弾性ベルト領域がＡ１の面積を有し、前記股部領域がＡ２の面積を有し、前記後側弾性ベルト領域がＡ３の面積を有し、
Ａ１、Ａ２、及びＡ３の合計が約１５００ｃｍ２未満であり、かつＡ２＞Ａ３又はＡ２＞Ａ１の関係を有し、
前記物品が、サイズ４の乳児用おむつである、着用可能物品。
【請求項２】
前記股部領域の横断方向長さＬ１が、本明細書の測定によれば、約１５０ｍｍ〜約２１０ｍｍ、好ましくは約１８０ｍｍ〜約１９０ｍｍである、請求項１に記載の物品。
【請求項３】
前記前側弾性ベルト領域及び前記後側弾性ベルト領域が、同じ有効ベルト幅Ｌ４を有し、前記股部領域の、前記横断方向長さＬ１の前記有効ベルト幅Ｌ４に対する比が、本明細書の測定によれば、約０．７以下、好ましくは約０．４９〜約０．６１である、請求項１又は２に記載の物品。
【請求項４】
前記股部領域が、前記股部領域内の長手方向軸に少なくとも部分的に沿って延在する一対の脚部弾性体を含み、本明細書の測定によれば、約１５０ｍｍ〜約２１０ｍｍ、好ましくは約１６０ｍｍ〜約１９０ｍｍの外側脚部弾性体間隔Ｌ１０を有する、請求項１〜３のいずれか一項に記載の物品。
【請求項５】
前記物品が、適合周長力、又は本明細書の測定によれば、約２Ｎ超を有する、請求項１〜４のいずれか一項に記載の物品。
【請求項６】
前記物品が中央シャーシから形成され、前記前側弾性ベルト領域及び前記後側弾性ベルト領域が環状弾性ベルトを形成し、前記前側弾性ベルト領域の中央部が前記中央シャーシの前側腰部パネルに接合され、前記後側弾性ベルト領域の中央部が前記中央シャーシの後側腰部パネルに接合され、前記前側及び後側弾性ベルト領域がそれぞれ、前記中央シャーシが重ならない左側部パネル及び右側部パネルを有し、前記前側及び後側弾性領域がそれぞれ、内側シート、外側シート、及びそれらの間に挟まれた弾性ストランドの積層体であり、前記内側シートと前記外側シートとの間に挟まれた前記弾性ストランドの全てが、互いに実質的に平行に前記横断方向に延びる、請求項１〜５のいずれか一項に記載の物品。
【請求項７】
前記股部領域が、トップシートと、バックシートと、前記トップシートと前記バックシートとの間に位置付けられた吸収性コアと、を含む吸収性コアを含み、前記吸収性コアが、吸収性層及び捕捉層を更に含み、前記吸収性層が実質的にセルロースを含まない、請求項１〜６のいずれか一項に記載の物品。
【請求項８】
前記吸収性層が、吸収性材料を実質的に含まない長手方向に延在するチャネル形成領域を含む、請求項７に記載の物品。
【請求項９】
チャネルが、前記捕捉層内に更に形成され、前記捕捉層の前記チャネルが、前記吸収性層の前記チャネルと厚さ方向に少なくとも部分的に一致する、請求項８に記載の物品。
【発明の詳細な説明】
【技術分野】
【０００１】
本発明は、その構造的構成要素間の特定の寸法関係を有するパンツタイプ着用可能物品に関する。
【背景技術】
【０００２】
乳幼児、及び失禁症状のあるその他の個人は、尿及び他の身体排出物を受容及び収容する吸収性物品（おむつなど）を着用する。プルオン型吸収性物品、すなわちパンツタイプの吸収性物品は、着用者の両脚を脚部開口部に挿入し、物品を下部胴体あたりの位置まで上方に滑らせることによって着用される物品である。パンツタイプの吸収性物品は、歩くことができて多くの場合トイレのトレーニング中の幼児用として、更には、もう少し年下の幼児であっても、テープで止めるタイプの吸収性物品をつけさせるのがより困難になりがちな、動きの激しい幼児用、並びに腰部開口部及び脚部開口部の周囲へのソフトなフィットを要する年下の幼児用として広く普及している。
【０００３】
パンツタイプ物品は、着用者又は介護者が物品を展開し、物品を着用するために着用者の脚を脚部開口部内に挿入するのを容易にするのに十分な弾性を有する様々な構造をとることができる。腰部周囲及びその近傍の領域は、多くの場合、弾性ベルトと呼ばれる。パンツタイプ物品の１つのタイプの構造は、着用者の股部領域を覆う本体と、国際公開第２００６／１７７１８Ａ号に記載されているような腰部開口部及び脚部開口部を画定する別個の弾性ベルトとを有するベルトタイプパンツである。パンツタイプ物品の別のタイプの構造は、物品の外側カバーが物品の衣類に面する面全体を完全に覆うように構成された一体型パンツであり、胴体の周囲を伸長するように構成された部分は、弾性ベルト領域と見なされる。
【０００４】
パンツタイプ物品の構造が何であっても、パンツタイプ物品は、物品の構造上の制限に基づいて、非常に小さい範囲のサイズ調節又は身体構成調節を提供しないか、又はそれのみを提供する。したがって、パンツタイプ物品は、典型的には、弾性ベルト領域を非常に伸縮性で着用するのに快適であるが、たるみ及び漏れに対する十分な保護が提供され得るように、信頼性の高いフィットと共に提供することによって、サイズ及び構成範囲に適応するように構成されている。更に、弾性ベルト領域は、使用時に着用者又は介護者によって最もよく触れられ観察される部分であり得、したがって、弾性ベルト領域の特性は、物品の品質に最も多く関連付けられるものである。品質について言えば、望まれ得るものは、下着のような一体的な外観及び感触である。
【先行技術文献】
【特許文献】
【０００５】
【特許文献１】国際公開第２００６／１７７１８Ａ号
【発明の概要】
【発明が解決しようとする課題】
【０００６】
上記に基づいて、快適性又は適用の容易さを妥協することなく広範囲の身体サイズ範囲にわたって改善されたフィット特性を提供する着用可能物品の必要性が存在する。また、経済的に作製することができる、改善された下着のような一体的外観を有する、このような着用可能物品を提供する必要性も存在する。
【課題を解決するための手段】
【０００７】
本発明は、長手方向及び横断方向に連続的な着用可能物品を対象とし、前側弾性ベルト領域、後側弾性ベルト領域、股部領域、腰部開口部、及び２つの脚部開口部を備え、股部領域が、前側弾性ベルト領域と後側弾性ベルト領域との間に長手方向に延在し、
本明細書の測定によれば、前側弾性ベルト領域がＡ１の面積を有し、股部領域がＡ２の面積を有し、後側弾性ベルト領域がＡ３の面積を有し、
Ａ１、Ａ２、及びＡ３の合計は約１５００ｃｍ２未満であり、かつＡ２＞Ａ３又はＡ２＞Ａ１の関係を有し、物品はサイズ４の乳児用おむつである。
【図面の簡単な説明】
【０００８】
本明細書の末尾には、本発明を構成するものと見なされる主題を具体的に特定しかつ個別に特許請求する特許請求の範囲が添付されているが、本発明は、実質的に同一の要素が同様の符号を用いて指定されている添付の図面と以下の説明文を併せ読むことで、より良く理解されるものと考えられる。
【図１】本発明の着用可能物品の一実施形態を示す斜視図である。
【図２】シームが接合されておらず、平らな非収縮状態で衣類に面する面を見せている、本発明による着用可能物品の一実施形態を示す概略平面図である。
【図３Ａ】シームが接合されておらず、平らな非収縮状態で身体に面する表面を見せている、本発明による着用可能物品の実施形態を示す概略平面図であり、「物品の寸法測定」によるある特定の寸法を示す。
【図３Ｂ】シームが接合されておらず、平らな非収縮状態で身体に面する表面を見せている、本発明による着用可能物品の実施形態を示す概略平面図であり、「物品の寸法測定」によるある特定の寸法を示す。
【図３Ｃ】シームが接合されておらず、平らな非収縮状態で身体に面する表面を見せている、本発明による着用可能物品の実施形態を示す概略平面図であり、「物品の寸法測定」によるある特定の寸法を示す。
【図３Ｄ】シームが接合されておらず、平らな非収縮状態で身体に面する表面を見せている、本発明による着用可能物品の実施形態を示す概略平面図であり、「物品の寸法測定」によるある特定の寸法を示す。
【図３Ｅ】シームが接合されておらず、平らな非収縮状態で身体に面する表面を見せている、本発明による着用可能物品の実施形態を示す概略平面図であり、「物品の寸法測定」によるある特定の寸法を示す。
【図３Ｆ】シームが接合されておらず、平らな非収縮状態で身体に面する表面を見せている、本発明による着用可能物品の実施形態を示す概略平面図であり、「物品の寸法測定」によるある特定の寸法を示す。
【図３Ｇ】シームが接合されておらず、平らな非収縮状態で身体に面する表面を見せている、本発明による着用可能物品の実施形態を示す概略平面図であり、「物品の寸法測定」によるある特定の寸法を示す。
【図４】「物品全体力測定法」によるハンガータイプのサンプル保持固定具の一例を示す概略図である。
【０００９】
定義
本明細書で使用するとき、以下の用語は後に指定される意味を有するものとする。
【００１０】
「着用可能物品」は、パンツ、テープ式おむつ、失禁者用ブリーフ、女性の生理用衣類などの形態であり得る着用物品を指す。「着用可能物品」は、尿、大便、経血など、身体から排出される様々な排出物を吸収し収容するように構成されてもよい。「着用可能物品」は、国際公開第２０１１／０８７５０３Ａ号に開示されているものなど、吸収及び収容機能を提供するための分離可能な使い捨ての吸収性インサートと接合されるように適合可能である、外側カバーとしての役割を果たし得る。
【００１１】
「パンツ」とは、予め形成された腰部及び脚部開口部を有する使い捨て吸収性物品を指す。パンツは、着用者の両脚を脚部開口部に挿入し、着用者の下部胴体の周囲の位置までパンツを滑らせることによって着用され得る。パンツは、通常、「閉じられたおむつ」、「予め締結されたおむつ」、「プルオンおむつ」、「トレーニングパンツ」、及び「おむつパンツ」とも呼ばれる。
【００１２】
「長手方向」とは、物品の腰部縁部から反対側の腰部縁部まで実質的に垂直に、及び物品の最大直線寸法に一般に平行に延びる方向を指す。
【００１３】
「横断」とは、長手方向と垂直な方向を指す。
【００１４】
「近位」及び「遠位」はそれぞれ、物品の長手方向中心により近い又はより遠い位置を指す。
【００１５】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（すなわち、要素又は表面が、使い捨て吸収性物品の上に着用され得る着用者の衣類に対して近位にある）ことを意味する。
【００１６】
「配置される」とは、要素が、ある特定の場所又は位置に置かれていることを指す。
【００１７】
「接合された」とは、１つの要素を他の要素に直接付着させることによって、その要素が他の要素に直接、貼り付けられている構成、及び要素を中間部材に付着させ、その中間部材が更に他の要素に貼り付けられていることによって、その要素が他の要素に間接的に貼り付けられている構成を指す。
【００１８】
「フィルム」とは、材料の長さ及び幅が材料の厚さを大きく上回るシート状材料を指す。一般的には、フィルムは約０．５ｍｍ以下の厚さを有する。
【００１９】
「透水性」及び「不透水性」は、使い捨て吸収性物品の所期の使用の状況における、材料の浸透性を指す。具体的には、用語「透水性」とは、層又は層構造体が、押し圧がない状態で、液体の水、尿又は合成尿が層又は層構造体の厚さを通過可能な、孔、開口部及び／又は相互に接続された空隙を有していることを指す。反対に、用語「不透水性」は、層又は層構造体が、（重力などの自然の力の他に）押し圧がない状態では、液体の水、尿又は合成尿が層又は層構造体の厚さを通過できないことを指す。この定義による不透水性の層又は層構造体は、水蒸気に対して透過性であってもよい、すなわち、「蒸気透過性」であってもよい。
【００２０】
「延伸性」及び「延伸可能な」とは、弛緩状態における構成要素の幅又は長さを延伸又は増大させることができることを意味する。
【００２１】
「伸縮性がある」又は「伸縮性を持たせた」とは、構成要素が弾性材から作製された少なくとも一部分を含むことを意味する。
【００２２】
「伸長性材料」、「延伸性材料」、又は「伸縮性材料」は互換的に使用され、付勢力を加えると、破裂又は破断することなく、ＥＤＡＮＡ法２０．２−８９で測定して弛緩した元の長さの少なくとも約１１０％の伸長した長さまで延伸でき（すなわち、元の長さよりも１０％長く延伸でき）、加えた力を除くと、完全に破裂又は破断することなく、その伸びの約２０％未満というわずかな回復を示す材料を指す。そのような伸長可能材料が、加えた力を解放した際に、その伸長量の少なくとも４０％回復する場合、その伸長可能材料は、「弾性」又は「エラストマー性」であると見なされる。例えば、１００ｍｍの初期長さを有する弾性材料は、少なくとも１５０ｍｍまで伸張することができ、力を取り除くと少なくとも１３０ｍｍの長さまで収縮する（すなわち、４０％の回復を示す）。加えた力を解放した際に、材料の回復が、その伸長量の４０％未満である場合、その伸長可能材料は、「実質的に非弾性」又は「実質的に非エラストマー性」であると見なされる。例えば、１００ｍｍの初期長さを有する伸長可能材料は、少なくとも１５０ｍｍまで伸張することができ、力を取り除くと少なくとも１４５ｍｍの長さまで収縮する（すなわち、１０％の回復を示す）。
【００２３】
「アートワーク」は、印刷又は他の方法で提供され、色を有する、裸眼への視覚的表示を指す。印刷は、リソグラフィ、スクリーン印刷、フレキソ印刷、及びグラビアインクジェット印刷技術などの当業者に周知の様々な方法及び装置を含む。
【００２４】
本明細書において、「色」又は「着色」という用語は、白色以外のいずれかの原色、すなわち、黒色、赤色、青色、紫色、オレンジ色、黄色、緑色及びインディゴ色、並びにそれらの淡色又は混合色のいずれかを含み得る。白色は、ＣＩＥ  Ｌ＊ａ＊ｂ＊表色系により、少なくとも９４のＬ＊値、０±２に等しいａ＊値、０±２に等しいｂ＊値を有する色として定義される。
【発明を実施するための形態】
【００２５】
図１は、本発明の着用可能物品２０の一実施形態の斜視図であり、図２は、シームが接合されておらず、平らな非収縮状態で衣類に面する表面を見せている、同じ物品の概略平面図である。着用可能物品２０は、長手方向軸線としての役割も果たす長手方向中心線ＬＸと、横断方向軸線としての役割も果たす横断方向中心線ＴＸとを有する。着用可能物品２０は、身体に面する表面、衣類に面する表面、前側領域２６、後側領域２８、股部領域３０、及びサイドシーム３２を有し、サイドシーム３２は、前側領域２６と後側領域２８とを接合して、２つの脚部開口部及び腰部開口部を形成する。物品は、サイズ４の乳児用おむつ物品である。地理学に応じて、このサイズはまた、サイズＬとも称され得る。サイズ４又はＬのおむつは、８〜１５ｋｇの重量範囲、又はより狭い重量範囲、例えば、９〜１５ｋｇ、又は８〜１４ｋｇの範囲などに推奨されてもよい。
【００２６】
着用可能物品２０は、着用者の股部領域を覆う中央シャーシ３８と、前側ベルト８４及び後側ベルト８６（以下、「前側及び後側ベルト」と称されることがある）とを備える図１及び図２のようなベルトタイプパンツであって、前側及び後側ベルト８４、８６は、横断方向に延在して腰部開口部を画定する別個の環状弾性ベルト４０（以下、「腰部ベルト」と称されることがある）を形成する。ベルトタイプパンツの場合、別個の環状弾性ベルト４０はまた、弾性ベルト領域４０と称されることがある。ベルトタイプパンツの場合、前側ベルト８４及び後側ベルト８６、並びに中央シャーシ３８が、一体となって脚部開口部を画定する。着用可能物品２０は、図３Ｆのようなベルトタイプパンツであってもよく、中央シャーシ３８の側縁部は、ベルト弾性領域の近傍で湾曲している。着用可能物品２０は、Ｌ５及びＬ６が同じ長さを有する図３Ｃのような一体型パンツであってもよく、中央シャーシ３８が前側及び後側ベルト８４、８６と連続的であり、脚部開口部は連続的に形成される。一体型パンツについて、サイドシームの間に存在するベルト部分は弾性ベルト領域４０と見なされ、弾性ベルト領域４０は、サイドシームの近位縁部の間に横断方向に延びる想像線によって終端すると見なされる。弾性ベルト領域４０を除く物品の残りの領域は、股部領域３０と見なされる。
【００２７】
中央シャーシ３８は、トップシート、バックシート、及びトップシートとバックシートとの間に配置された吸収性コア６２、並びに更にバックシートの衣類に面する側を覆うための外側カバー層４２を含み得る。トップシートは、透水性基材であってもよい。バックシートは、不透水性フィルムであってもよい。外側カバー層４２は不織布シートであってよい。中央シャーシ３８は、中央シャーシ３８上に配置された身体排出物を吸収及び収容するための吸収性コア６２と、吸収性コア６２の周辺部を囲む吸収性材料非存在領域６１とを含み得る。吸収性材料非存在領域６１は、トップシート及び／又はバックシート及び／又は外側カバー層４２及び／又は中央シャーシ３８を構成する他の部分から作製されてもよい。図２に示される実施形態では、中央シャーシ３８は砂時計形であり、より大きな長手方向の長さが、左右の長手方向に延在する側縁部４８（以下、「側縁部」と称されることがある）と、前側及び後側の横断方向に延在する端縁部５０（以下、「端縁部」と称されることがある）とを有する。吸収性コア６２は、股部領域の長手寸法全体を通して存在してもよく、後側弾性ベルト領域内に少なくとも部分的に延在するか、又は前側及び後側弾性ベルト領域内の両方に少なくとも部分的に延在する。中央シャーシ３８はまた、吸収性物品２０の前側領域２６内に位置付けられた前側腰部パネル５２と、後側領域２８内に位置付けられた後側腰部パネル５４と、股部領域３０内で前側及び後側腰部パネル５２、５４の間にある股部パネル５６とを有する。前側ベルト８４の中央部は中央シャーシ３８の前側腰部パネル５２に接合され、後側ベルト８６の中央部は中央シャーシ３８の後側腰部パネル５４に接合され、前側及び後側ベルト８４、８６はそれぞれ、中央シャーシ３８が重ならない左側部パネル及び右側部パネル８２を有する。中央シャーシは、前側腰部パネル５２と後側腰部パネル５４との間に位置付けられた股部パネル５６を有する。物品がベルトタイプパンツである場合、前側及び後側ベルトは、長手方向に互いに不連続であってもよい。
【００２８】
吸収性コア６２は、吸収性層及び捕捉層を含んでもよい。吸収性層は、超吸収性ポリマーなどの高い保持容量を有する吸収性材料が存在する領域である。吸収性層は、実質的にセルロースを含まなくてもよい。吸収性層の超吸収性ポリマーは、熱可塑性接着剤材料の繊維層によって不動化される第１及び第２の材料層の間に配置されてもよい。第１及び第２の材料層は、ＰＥ、ＰＥＴ、及びＰＰの単成分繊維、サイドバイサイド、コア／シース、又はアイランドインザシー型繊維などの多成分繊維などの合成繊維を含む、不織布繊維ウェブであってもよい。そのような合成繊維は、スパンボンドプロセス又はメルトブロープロセスを介して形成されてもよい。捕捉層は、身体排出物の捕捉及び分配を促進し、トップシートと吸収性層との間に定置され得る。捕捉層は、セルロース繊維を含んでもよい。
【００２９】
吸収性層は、吸収性コア６２内に複数配置されてもよい。吸収性層の一部は、チャネル又は複数のチャネルを形成するために吸収性材料を実質的に有さないように構成されてもよい。チャネルは、吸収性コアが流体で膨潤すると屈曲することを可能として、吸収性物品が膨張後に着用者の身体にぴったり一致し、物品の弛みを防止するように、有用であり得る。チャネルはまた、捕捉層内に形成されてもよく、吸収性層のチャネルと厚さ方向に少なくとも部分的に一致するように構成されてもよい。
【００３０】
本発明の物品の弾性ベルト領域４０は、嵌合力を動的に生成し、着用中に動的に発生する力を分配するように作用する。前側及び後側弾性ベルト領域８４、８６は、側縁部８９のみにおいてシーム３２で互いに接合されて、腰部開口部及び２つの脚部開口部を有する着用可能物品を形成することができる。各脚部開口部は、脚部開口部の周囲に弾性を備えてもよい。ベルトタイプパンツの場合、脚部開口部の周囲の弾性は、前側ベルト８４、後側ベルト８６、及び中央シャーシ３８からの弾性の組み合わせによって提供されてもよい。
【００３１】
バックシート及び外側カバー層４２の横断方向幅は、同じであってもよく、又は変化してもよい（図示せず）。例えば、バックシートは、外側カバー層４２の横断方向幅よりも短い横断方向幅を有してもよい。かかる構成により、脚部開口部の一部をなす股部パネル５６の長手方向側縁部４８は、より良好な通気性を有し得る。更に、かかる構成は、コストを削減することができる。
【００３２】
前側弾性ベルト領域８４及び後側弾性ベルト領域８６はそれぞれ、横断方向に延びる複数の弾性体９６と、内側シート９４と、外側シート９２と、外側シート折返し部（図示せず）とを含む積層体によって形成されてもよく、外側シート折返し部は、外側シート材料を前側及び後側ベルトの遠位縁部８８で折り畳むことによって形成される外側シート材料の延長部であり、ベルト状弾性体９６は、これらのシートの２つの間に挟まれている。前側弾性ベルト領域８４及び後側弾性ベルト領域８６はそれぞれ、弾性体９６、内側シート９４、外側シート９２、及び外側シート折返し部のみによって作製され得る。ベルト状弾性体９６は横断方向に延在して、前側弾性ベルト領域８４及び後側弾性ベルト領域８６が接合されるときに環状弾性ベルト４０をもたらす。少なくともいくつかの弾性体９６が、互いに対して略平行に横断方向に延在している。全ての弾性体９６が、互いに対して略平行に横断方向に延在してもよい。かかる物品は経済的に作製することができる。前側弾性ベルト領域８４及び後側弾性ベルト領域８６はそれぞれ、横断方向に連続的な近位縁部及び遠位縁部を有してもよく、近位縁部９０は物品の長手方向中心に対して遠位縁部８８よりも近くに位置する。弾性体９６は、前側と後側との間に同じ又は異なるデニール、間隔、及び力で、ベルトの異なる長手方向位置に配置されてもよい。
【００３３】
本発明の物品は、依然として製造が経済的である一方で、改善されたフィット特性を提供する寸法を有する。図３Ａ〜図３Ｇは、シームが接合されておらず、平らな非収縮状態で身体に面する表面を見せている、本発明による着用可能物品の実施形態を示す概略平面図である。図３Ａ〜図３Ｃ、図３Ｆ、及び図３Ｇでは、中央シャーシの周囲は実線で示されているが、それらは前側及び／又は後側弾性ベルト領域８４、８６の折り返された材料によって覆われてもよい。
【００３４】
図３Ａ〜図３Ｃ、図３Ｆ、及び図３Ｇを参照すると、本発明の物品は、本明細書の測定による、Ａ１の面積を有する前側弾性ベルト領域、Ａ２の面積を有する股部領域、Ａ３の面積を有する後側弾性ベルト領域を含み、Ａ１、Ａ２、及びＡ３の合計は、約１５００ｃｍ２未満、又は約１２５０ｃｍ２〜約１４００ｃｍ２であり、かつＡ２＞Ａ３又はＡ２＞Ａ１の関係を有する。すなわち、股部領域Ａ２の面積は、後側弾性ベルト領域Ａ３又は前側弾性領域Ａ１のうちの１つより大きい。
【００３５】
本発明の物品は、図３Ａ及び図３Ｂのような長方形の股部領域、又は図３Ｃのような概ね湾曲した股部領域を有し得る。あるいは、図３Ｆ及び図３Ｇのように、股部領域は、横断方向に延在する前側及び後側ベルト弾性領域の近傍の領域と共に、概ね真っ直ぐな側縁部を有し得る。したがって、図３Ｆ及び図３Ｇの物品は、前側及び後側に向かって延在する股部領域の横断方向長さＬ１と、股部領域が前側及び後側弾性ベルト領域と交差する股部領域の最大横断方向長さＬ１５とを有する。
【００３６】
本発明の物品は、本明細書の測定によれば、約１５０ｍｍ〜約２１０ｍｍ、又は約１８０ｍｍ〜約１９０ｍｍの股部領域の横断方向長さＬ１を有し得る。理論に拘束されるものではないが、股部領域の横断方向長さを比較的狭くすることによって、物品が荷重を受けた後でさえも物品のフィットが改善されると考えられる。本発明の物品は、本明細書の測定によれば、同じ有効ベルト幅Ｌ４を有する前側弾性ベルト領域８４及び後側弾性ベルト領域８６を有してもよく、股部領域の横断方向長さＬ１の、有効ベルト幅Ｌ４に対する比が、約０．７以下、又は約０．４９〜約０．６１である。理論に拘束されるものではないが、弾性ベルト領域の横断方向長さを固定するための材料を利用することは有利であると考えられる。
【００３７】
本発明の物品は、股部領域の長手方向軸に少なくとも部分的に沿って延在する一対の脚部弾性体を含む中央シャーシを含み、本明細書の測定によれば、約１５０ｍｍ〜２１０ｍｍ、又は１６０ｍｍ〜１９０ｍｍの外側脚部弾性体間隔Ｌ１０を有する。図３Ａ、図３Ｂ、図３Ｆ、及び図３Ｇを参照すると、本発明の物品は、長手方向軸に沿って配置された一対の脚部弾性体を有してもよく、直接測定され得る外側脚部弾性体間隔Ｌ１０を有してもよい。図３Ｃを参照すると、脚部弾性体は、中央シャーシ３０の湾曲した輪郭に沿って配置されてもよい。かかる構成では、Ｌ１０は、図３Ｃの領域Ｉの分解図であり、脚部カフは実線で示されている図３Ｄ〜図３Ｅによって得られる。図３Ｄ〜図３Ｅを参照すると、本発明の物品は、コア領域の横断方向の中心に向かって内向きに湾曲した一対の脚部弾性体を有してもよい。これらの物品について、外側脚部弾性体間隔Ｌ１０は、以下に詳述する測定により想定される。理論に拘束されるものではないが、選択された股部領域の横断方向長さＬ１と外側脚部弾性体間隔Ｌ１０との組み合わせを提供することによって、物品が荷重を受けた後でさえも物品のフィットが改善されると考えられる。
【００３８】
前側及び／又は後側弾性ベルト領域８４、８６は、中央シャーシ３８の前側腰部パネル５２及び／又は後側腰部パネル５４と重なり合う領域の特定部分の弾性が除去されるように処理されてもよい。吸収性コア６２と重なり合う前側エリア及び／又は後側エリアの弾性は、吸収性層又は吸収性コア６２内のいずれかの層にひだを寄せ、中央シャーシ３８の着用者への密なフィットを妨げることがあるため、前側腰部パネル５２及び／又は後側腰部パネル５４の特定領域からの弾性の除去は、中央シャーシ３８が吸収性コア６２を含む場合に有利であり得る。中央シャーシ３８の前側腰部パネル５２及び後側腰部パネル５４と重なり合う領域において、弾性体のうちの少なくとも１つ、又は少なくとも半数、又は少なくとも３分の２の弾性の少なくとも一部、又は少なくとも１０％、又は少なくとも２０％、又は少なくとも３０％が除去される。吸収性材料の非存在領域６１と重なり合う弾性体９６は、中央シャーシ３８の良好なフィットのために活性弾性で配置されてもよい。これは漏れを防止するのに有利であり得る。図２を参照すると、弾性体９６が吸収性コア６２と重なり合う領域全体の弾性が除去されてもよい。あるいは、吸収性コア６２の遠位縁部に対する弾性体９６は、活性弾性で配置されてもよい。
【００３９】
図２、並びに図３Ａ、図３Ｂ、図３Ｆ、及び図３Ｇを参照すると、後側弾性ベルト領域８６は、横断方向の有効ベルト幅Ｌ４の全て又は一部に沿って、前側弾性ベルト領域８４の前側ベルト長さＬ５よりも大きいベルト長さＬ６を有し得る。前側ベルト長さＬ５の全体は継ぎ合わされてもよく、シーム長さは前側ベルト長さＬ５と同じである。かかる構成では、着用可能物品が組み立てられて、腰部開口部及び脚部開口部が形成されるとき、着用可能物品２０は、前側遠位縁部８８が後側遠位縁部８８と位置合わせされるように、横断方向中心線ＴＸに沿って折り畳まれる。前側側縁部８９も後側側縁部８９の一部分と位置合わせされる。次に、前側ベルト８４及び後側ベルト８６が、前側及び後側側縁部８９においてシーム３２で接合される。図３Ｂを参照すると、前側及び後側近位縁部９０は、サイドシームの近傍に後側ベルト８６のためのノッチを作製することによって、サイドシーム３２で一致し得る。図３Ａ、図３Ｂ、図３Ｆ、及び図３Ｇを参照すると、前側及び後側近位縁部９０は、互いに位置合わせされなくてもよい。後側近位縁部９０は、後側側部パネル８２の近位部分が前側近位縁部９０を超えて中央シャーシ３８の股部パネル５６に向かって延在するように、横断方向中心線ＴＸに対して長手方向に前側近位縁部９０よりも近くに配置されてもよい。後側側部パネル８２の近位部分の側縁部は、どこにも接合されず、付着されていなくてもよい。したがって、後側側部パネル８２の近位部分は、臀部カバー９５を提供する。
【００４０】
弾性ベルト領域４０は、物品の機能及び品質と密接に関連がある場合がある。したがって、弾性ベルト領域４０を形成する材料及び弾性ベルト領域の弾性プロファイルは、物品の望ましさを提供するために、メーカーによって慎重に選択される。下着のような外観と、柔軟でクッションのような感触などの快適な触感が、高品質に関連付けられ得る。着用中の特定の力を維持して物品が装填後に弛むのを防止しつつ、伸張及び装着し易くすることもまた、高い機能に関連付けることができる。前述の品質及び機能特性のバランスは、ユーザに対して物品の良好なユーザエクスペリエンスを提供する。ユーザは、着用者又は介護者であってもよい。
【００４１】
前側及び後側弾性ベルト８４、８６の引張応力（Ｎ／ｍ）はそれぞれ、本発明の利益をもたらすためにプロファイリングされてもよい。前側及び後側弾性ベルト８４、８６の弾力性が、横断方向に延びる複数の弾性体９６によって供給される場合、引張力は、次の方法のうちの１つ又は複数によって調整されてもよい。１）弾性体９６の伸び率；２）弾性体９６の密度（ｄｔｅｘ）；３）複数の弾性体９６の長手方向間隔；及び４）弾性体９６の横断方向における弾性の有効長さ。弾性体は、約４７０から約１１００のｄｔｅｘを有し、約１１０％から約２９０％の伸び率で配置された弾性ストランドであってもよい。伸び率について言えば、「０％伸び率」とは、弾性体９６の元の長さを意味する。
【００４２】
いくつかの弾性体は、特定の領域においてより高い引張応力を付与するように配置されてもよい。複数の弾性体は、他の領域と比較して比較的より高い又はより低い引張応力を付与するように集合的に配置されてもよい。より高い引張応力の区域は、アレイ内で２〜４ｍｍの間隔で２〜４個の弾性ストランドのアレイとして配置されてもよい。このようなより高い引張応力の区域は、物品をそのような身体領域に対して固定するように、着用者の転子骨又は腸骨稜と一致する領域に構成され得る。
【００４３】
本発明の物品は、以下の物品全体力測定法により、好適な伸張周長力（Ｎ）を有してもよい。伸長周長力とは、手を挿入し、物品を伸張させて開くときにユーザによって初期の伸張経験の感覚を模倣すると考えられる特定の伸張レベルでの負荷力を意味する。物品を伸張して開くときにユーザが感じると考えられる伸張レベルは、「４７０ｍｍ伸長周長」によって表される。４７０ｍｍの寸法は、出願人による研究に基づいて選択され、ここで、体重が６〜２０ｋｇの小児の恥骨と一致する高さでの平均起立臀部周囲（ｍｍ）は、１０００人を超える被験者からのデータに基づき、４７３ｍｍであった。すなわち、パンツ物品を着用するための一般的な習慣によると、ユーザは、パンツ物品の弾性ベルト領域を、着用者の身体の臀部周囲と大体一致する周囲まで伸張して開くことになる。体重６〜２０ｋｇは、サイズ３〜６（サイズＭ〜ＸＸＬ）のパンツ物品の着用者の推奨体重と一致する。本発明の物品は、伸長周長力が約７Ｎ以下、又は約６．５Ｎ以下、又は約６Ｎ以下である。このような伸長周長力を有することにより、弾性ベルトを容易に開き、適用することができる。理論に拘束されるものではないが、伸長周長力が小さいほど、弾性ベルト領域は、より小さな力で伸張することができるため、弾性ベルト領域のユーザによる知覚がより柔らかくなると考えられる。
【００４４】
本発明の物品は、以下の物品全体力測定法により、好適な適合周長力（Ｎ）を有してもよい。適合周長力とは、物品を着用している間の着用者による力の感覚を模倣すると考えられる特定の伸張レベルでの負荷がかかっていない力である。物品を着用している間に着用者が感じると考えられる伸張レベルは、４７０ｍｍ伸長周長によっても表される。本発明の物品は、適合周長力が約２Ｎ以上である。このような適合周長力を有することにより、弾性ベルトは、緩み及び漏れを防ぐ良好なフィットを与える。
【００４５】
理論に拘束されるものではないが、約２Ｎ以上の最小適合周長力と組み合わせて、約７Ｎ以下の比較的小さな伸長周長力を有することによって、弾性ベルト領域が適用容易になり、確実であるが柔らかいフィット性が与えられ得ると考えられる。理論によって拘泥されないが、上述の伸長周長力及び適合周長力を実現することにより、本発明のパンツタイプ物品は、物品を触った際、施用した際、及び着用した際に、ユーザに総合的に満足のいく触感を実現すると考えられる。
【００４６】
１．物品全体力測定法
ＴｅｓｔＷｏｒｋｓ  ４  Ｓｏｆｔｗａｒｅ（ＭＴＳ  ＳＹＳＴＥＭＳ（ＣＨＩＮＡ）ＣＯ．，ＬＴＤから入手可能）を実行するＭＴＳ  Ｃｒｉｔｅｒｉｏｎ  Ｃ４２などのコンピュータインタフェースを備えた電気式引張試験機、又は同等の機器を使用して、パンツタイプ物品の力を測定する。試験されるサンプルに対する力が、使用するロードセルの能力の１０〜９０％になるように、ロードセルを選択する。機器は、メーカーの指示書に従って較正する。全ての試験は、２３±２℃、相対湿度５０±５％に維持された室内で行われる。
【００４７】
引張試験機に、図４に示されるような、ハンガータイプのサンプル保持固定具３００を装着する。各固定具は、試験中にサンプルが滑るのを防ぐために、剛性で直線状の、ゴムでコーティングされた水平バー部分３０２を備える。水平バー部分のバーの外径（ゴムコーティングを含む）は１０．０ｍｍである。水平バー部分３０２の中央軸線は、全テスト過程を通して平行で同一鉛直面内に保たれるように構成されている。基準周長は、次式によって決定される。
基準周長＝２×（Ｈ＋Ｄ＋πＤ／２）
式中、Ｈは水平バー部分３０２間の垂直方向ギャップ、Ｄはバーの外径である。
【００４８】
機器は、以下の工程をこなすように設定される。
【００４９】
【表１】
2020527428.tif 000003
【００５０】
バーが物品の腰部開口部及び一方の脚部開口部を通るように、サンプル物品２０を上側の水平バー部分３０２上に挿入する。試験片が下側のバーの上方でぶら下がり、下側のバー３０２に触れなくなるまで、クロスヘッドを持ち上げる。ロードセルの風袋を差し引き、物品を伸張させずに下側のバー３０２を腰部開口部及び他方の脚部開口部に挿通させることができるように、クロスヘッドを下降させる。物品の長手方向中心線ＬＸが上側及び下側のバー３０２の真ん中で水平面内にあるように物品を調整する。バー３０２と接触している側部部分の中心が、機器のロードセルと同じ垂直軸線上に位置するようにする。物品を必要に応じて手で適所に保持しつつ、不要な力が加わらないように注意しながら、力が０．０５〜０．１Ｎになるまでクロスヘッドをゆっくり持ち上げる。この時点での基準周長が初期基準周長である。試験を開始し、３０Ｎの力が得られるまでクロスヘッドを２５４ｍｍ／分で上に移動させ、次いで同じ速度でクロスヘッドをすぐに初期基準周長に戻す。試験の延長部分中の３０Ｎでの最大周長を記録する。
【００５１】
３０Ｎでの最大周長が全周長（ｍｍ）として定義される。伸長周長力は、この試験の負荷（伸張）セグメント中の４７０ｍｍ伸長周長での力であると定義される。適合周長力は、試験の負荷がかかっていない（収縮）セグメント中の４７０ｍｍ伸長周長での力として定義される。
【００５２】
５つのサンプルを分析し、その平均初期基準周長、平均最大周長、平均伸長周長力、及び平均適合周長力を計算し、それぞれ最も近い１ｍｍ又は０．０１Ｎ単位で報告する。
【００５３】
２．物品の寸法測定
この測定のためのサンプルを得るために、物品のサイドシーム３２を開き、物品全体の身体に面する側は、フック材又は両面テープ材料によって、非透明背板の表面上に取り付けられる。背板は、物品の全領域を支持するのに十分な大きさであるべきである。上記で得られた全周長の５０％は、それぞれ前側及び後側弾性ベルト領域の最大横断方向幅であるＬ４の有効ベルト幅であると考えられる。取り付け時、前側及び後側弾性ベルト領域はそれぞれＬ４まで伸張され、股部領域内の任意の弾性体は、任意の材料の破損が観察されない限り、以下の条件ａ）〜ｃ）を満たすその「最大伸張状態」に伸張される。
ａ）サイドシームは真っ直ぐである。
ｂ）中央シャーシにしわは存在しない。
ｃ）長手方向軸ＬＸを考慮して物品の左部分及び右部分は対称である。
【００５４】
上記の条件が満たされる、伸張のレベルに達する前に、いかなる材料の破損が観察される場合、材料が依然として破損している最大伸張点は、「最大伸張状態」と見なされる。材料の破損は、不織布材料の分解、弾性ストランドの破断などを含み得る。
【００５５】
測定されるものは、完成した物品の以下の寸法であり、寸法の一部は、物品の輪郭に応じて異なるように測定される。図３Ａ〜図３Ｇは、寸法がどのように測定されるかを説明するための代表的な物品輪郭であり、本発明の物品輪郭の網羅的なリストであることを意図するものではない。例えば、物品は、図３Ｂのベルト領域輪郭及び図３Ｃの股部領域輪郭を取り得る。サンプルの身体に面する側は背板に取り付けられており、したがって見えないが、図３Ａ〜図３Ｇは、以下の寸法を説明するために身体に面する側について説明する。
【００５６】
寸法は、１ｍｍ単位で報告される。５つのサンプルを測定し、それらの平均を得る。
【００５７】
Ｌ１：股部領域の横断方向長さは、図３Ａ〜図３Ｃ、図３Ｆ、及び図３Ｇに示される股部領域の最小横断方向長さである。
【００５８】
Ｌ２：前側股部領域の長手方向長さは、図３Ｃのような、Ｌ１を得るために描かれた仮想線（以下、「股部仮想線」）と、前側弾性ベルト領域の近位縁部との間の長手方向長さである。
【００５９】
Ｌ３：後側股部領域の長手方向長さは、図３Ｃのように、股部仮想線及び後側弾性ベルト領域の近位縁部からの長手方向長さである。
【００６０】
Ｌ５：前側ベルト長さは、図３Ａ〜図３Ｃ、図３Ｆ、及び図３Ｇのように、前側弾性ベルト領域の最大長手方向長さである。前側ベルト長さの全体が継ぎ合わされている場合、Ｌ５はシーム長さとも称され得る。
【００６１】
Ｌ６：後側ベルト長さは、図３Ａ〜図３Ｃのように、後側弾性ベルト領域の最大長手方向長さである。
【００６２】
Ｌ７：股部領域の長手方向長さは、図３Ａ及び図３Ｃのように、前側弾性ベルト領域の近位縁部と後側弾性ベルト領域の近位縁部との間の長手方向長さである。図３Ｃでは、Ｌ７はＬ２及びＬ３の和に等しい。図３Ｆ及び図３Ｇでは、Ｌ７は、Ｌ１２、Ｌ１３、及びＬ１４の和に等しい。
【００６３】
Ｌ１０：外側脚部弾性体間隔は、図３Ｆのように、股部仮想線上に定置された最も外側の脚部弾性体の間の横断方向長さである。図３Ａ及び図３Ｂのように長手方向に延在する脚部弾性部材を有する物品では、Ｌ１０は股部領域のどこで測定されてもよい。股部領域で鋭く湾曲した脚部弾性部材を有する物品では、図３Ｄのように、最も外側の脚部弾性体及び股部仮想線の交点Ｎ１及びＮ１’の間の横断方向長さが測定される。股部領域において鋭く湾曲した脚部弾性部材を有する物品では、最も外側の脚部弾性体及び股部仮想線は交差せず、仮想接線は、脚部弾性体の大部分の凸部から引かれ、次いで、図３Ｅのように、接点から股部仮想線に対して垂直線が引かれ、仮想交点Ｎ２とＮ２’との間の横断方向長さが測定される。
【００６４】
Ｌ１１：最小ベルト幅は、図３Ｂのように、後側弾性ベルト領域の最小横断方向幅である。記載されていないが、このような最小ベルト幅Ｌ１１もまた、前側弾性ベルト領域上に存在してもよい。
【００６５】
Ｌ１２：前側股部の長手方向長さは、図３Ｆ及び図３Ｇのように、前側弾性ベルト領域の近位縁部と前側弾性ベルト領域に最も近い股部想像線との間の長手方向長さである。
【００６６】
Ｌ１３：中央股部の長手方向長さは、図３Ｆ及び図３Ｇのように、前側弾性ベルト領域に最も近く存在する股部仮想線と後側弾性ベルト領域に最も近くに存在する股部仮想線との間の長手方向長さである。
【００６７】
Ｌ１４：後側股部の長手方向長さは、図３Ｆ及び図３Ｇのように、後側弾性ベルト領域の近位縁部と後側弾性ベルト領域に最も近くに存在する股部仮想線との間の長手方向長さである。
【００６８】
Ｌ１５：股部領域の最大横断方向長さは、図３Ｆ及び図３Ｇのように、股部領域が前側及び後側弾性ベルト領域と交差する股部領域の最大横断方向長さである。
【００６９】
Ａ３：後側弾性ベルト領域面積は、後側弾性ベルト領域面積が図３Ａ及び図３Ｃのように長方形であるとき、次式：Ｌ４×Ｌ６によって得られる。図３Ｂのような輪郭を取る後側弾性ベルト領域について、面積は、おおよその除去された領域を差し引くことによって得られ、すなわち、次式：Ｌ４×Ｌ６−（Ｌ４−Ｌ１１）×（Ｌ６−Ｌ５）によって得られる。
【００７０】
Ａ２：股部領域面積は、中央シャーシが図３Ａ及び図３Ｂのように長方形であるとき、次式：Ｌ１×Ｌ７によって得られる。図３Ｃのように長方形ではない股部領域面積について、面積は、おおよその面積、すなわち、次式：（Ｌ２＋Ｌ３）×（Ｌ４＋Ｌ１）を仮定することによって得られる。図３Ｆ及び図３Ｇのような股部領域面積について、おおよその面積、すなわち、次式：（Ｌ１＋Ｌ１５）×（Ｌ１２＋Ｌ１４）＋Ｌ１３×Ｌ１を仮定することによって得られる。
【００７１】
Ａ１：前側弾性ベルト領域面積は、前側弾性ベルト領域面積が図３Ａ及び図３Ｃのように長方形であるとき、次式：Ｌ４×Ｌ５によって得られる。図３Ｂの後側弾性ベルト領域と同様の輪郭を取る前側弾性ベルト領域では、Ａ３について上で説明されるのと同様の方法でおおよその除去された領域を差し引くことによって得られる。
【実施例】
【００７２】
実施例１〜２及びＡ〜Ｂは、このようにして得られ、上記のように測定を受ける。
【００７３】
実施例１及び２：本発明の図３Ｆの構成を有するサイズ４（Ｌサイズ）ベルトタイプパンツ物品。
【００７４】
実施例Ａ：２０１６年に中国市場で購入したロット番号６３４１２０２２００２０１６１２０６の商品名「日本から輸入されたメリーズパンツＬサイズ」により販売されているサイズ４（Ｌサイズ）ベルトタイプパンツ物品。
【００７５】
実施例Ｂ：２０１６年に中国市場で購入したロット番号２０１６０６１４ＣＡ１１４５００５２７の商品名「グーンプレミアム天使の産着」で販売されているサイズ４（Ｌサイズ）ベルトタイプパンツ物品。
【００７６】
物品の寸法を、本明細書の物品寸法測定法に従って測定し、実施例１〜２を図３Ｆに従って測定し、実施例Ａを図３Ｃに従って測定し、実施例Ｂを図３Ｇに従って測定した。
【００７７】
適合周長力は、本明細書の物品全体力測定法による測定値である。結果は表１に見出される。
【００７８】
【表２】
2020527428.tif 000004
【００７９】
本発明の実施例１及び２の物品は、全体的に良好なフィット、下着のような外観、脚部に良好なフィット、及び良好な通気性を提供する。
【００８０】
本明細書において開示された寸法及び値は、列挙された正確な数値に厳密に限定されるものとして理解されるべきではない。代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することを意図する。更に、本明細書全体を通して与えられるあらゆる数値範囲は、かかるより広い数値範囲内に入るあらゆるより狭い数値範囲を含む。
【００８１】
相互参照される又は関連特許若しくは出願のいずれをも含めた、本明細書に引用されている全ての文書は、明示的に除外される、又は特に限定されない限り、その全体が本明細書に参照として組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００８２】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲において網羅することを意図したものである。
【図１】
2020527428.tif 000005
【図２】
2020527428.tif 000006
【図３Ａ】
2020527428.tif 000007
【図３Ｂ】
2020527428.tif 000008
【図３Ｃ】
2020527428.tif 000009
【図３Ｄ】
2020527428.tif 000010
【図３Ｅ】
2020527428.tif 000011
【図３Ｆ】
2020527428.tif 000012
【図３Ｇ】
2020527428.tif 000013
【図４】
2020527428.tif 000014
【国際調査報告】
2020527428.tif 000015
2020527428.tif 000016